(57)【要約】【課題】従来品よりも、安全で強力な引張耐力と圧縮耐力とを備える羽子板クランプを提供すること。【解決手段】保持片１１と固定片１２とが一端でピン１８により枢着され、他端にてボルト１６ａ及びナット１６ｂで着脱自在に連結され、固定片と保持片との間に単管パイプを保持する保持部１３を備え、固定片に羽子板部１９ａが枢着された羽子板クランプにおいて、固定片と保持片とにより挟持された単管パイプに圧着して該単管パイプを固定する力を増強させる圧着ボルト１４が、固定片と保持片の少なくとも一方に設けられた。【選択図】      図１
2004339744.tif 000002
【特許請求の範囲】
【請求項１】
固定片と保持片とがそれぞれ一端にて枢着され、他端にてボルト及びナットで着脱自在に連結され、前記固定片と前記保持片との間に単管パイプを保持する保持部を備え、前記固定片に羽子板部が枢着された羽子板クランプにおいて、前記固定片と前記保持片とにより挟持された単管パイプに圧着して該単管パイプを固定する力を増強させる圧着部材が、前記固定片と前記保持片の少なくとも一方に設けられたことを特徴とする羽子板クランプ。
【請求項２】
前記圧着部材が、前記固定片と前記保持片の少なくとも一方に、外側から保持部へ貫通するように設けられたボルトであることを特徴とする請求項１に記載の羽子板クランプ。
【発明の詳細な説明】
【０００１】
【発明が属する技術分野】
本発明は羽子板クランプに関する。
【０００２】
【従来の技術】
羽子板クランプは、単管パイプや建枠を組立てて構築された仮設足場の倒壊を防止するために使用される慣用の固定具であり、例えば、図２に示したように、固定片２２と保持片２１とがピン２８により一端で枢着され、他端にてボルト２６ａとナット２６ｂで着脱可能に連結され、固定片２２と保持片２１との間には単管パイプを保持するための空間、すなわち保持部２３が設けられている。ボルト２６ａはピン２６ｃにより固定片２２に枢着され、保持片２１には、ボルト２６ａを嵌合するための係合部２１ａが形成されており、ボルト２６ａを係合部２１ａに嵌合してナット２６ｂで締め込むことにより、図２に示したように固定片２２と保持片２１とが閉ざされた状態で固定される。また固定片２２には、羽子板部２９ａが回転自在にピン２７で枢着され、羽子板部２９ａには溶接により羽子板ボルト２９ｂが固定されている。
【０００３】
【発明が解決しようとする課題】
以上のような仮設足場では、その倒壊防止と揺れ防止のために、仮設足場と構造物の躯体とを単管パイプで連結しており、単管パイプは羽子板クランプ２０で躯体に固定されている。このような羽子板クランプ２０にあっては、単管パイプの材軸方向に作用する引張力や圧縮力が、６００ｋｇ以上になると単管パイプが滑りだすので、これが安全確保上の課題となっている。すなわち、仮設足場には墜落防止用のネットシートが張られているため、これに風速１５メートル以上の強風や突風が吹き付けた場合には、単管パイプに１０００ｋｇ以上の引張力や圧縮力が作用することがあり、したがって、羽子板クランプ２０には、このような場合にも耐え得るような引張耐力や圧縮耐力が求められている。
したがって、本発明の課題は、単管パイプに比較的大きな引張力や圧縮力が作用した場合にも、これら引張力や圧縮力に対して従来品より強力な耐力を発揮し得る羽子板クランプを提供することにある。
【０００４】
【課題を解決するための手段】
本発明によれば、固定片と保持片とがそれぞれ一端にて枢着され、他端にてボルト及びナットで着脱自在に連結され、前記固定片と前記保持片との間に単管パイプを保持する保持部を備え、前記固定片に羽子板部が枢着された羽子板クランプにおいて、前記固定片と前記保持片とにより挟持された単管パイプに圧着して該単管パイプを固定する力を増強させる圧着部材が、前記固定片と前記保持片の少なくとも一方に設けられたことを特徴とする羽子板クランプが提供される。
本発明の羽子板クランプでは、固定片と保持片の少なくとも一方に圧着部材が設けられているので、固定片と保持片とにより単管パイプを挟持したときに、この圧着部材が単管パイプに圧着して固定するので、従来品よりも強力な引抜き耐力が得られる。
【０００５】
本発明の羽子板クランプでは、前記固定片と前記保持片の少なくとも一方に、外側から保持部へ貫通するようにボルトを設け、このボルトを前記圧着部材とすることが可能である。このように圧着部材としてボルトを用いれば、簡単な構造により圧着部材が構成されるため、製造コストも低廉に抑えることができて、しかも、ボルトを強く締め付けるだけの簡単な操作で、単管パイプの引張耐力と圧縮耐力を強化することが可能になる。
【０００６】
【発明の実施の形態】
以下、添付図面を参照して好適な実施形態を説明するが、本発明はこの実施形態に限定されるものではない。
図１は本発明の羽子板クランプ１０の斜視図であり、この羽子板クランプ１０は、保持片１１と固定片１２との間に単管パイプ（図示せず）を保持するための空間、すなわち保持部１３を備え、この保持片１１には貫通孔（図示せず）が形成されており、ここにナット１５が溶接で固定され、このナット１５に圧着ボルト１４が捩じ入れられて締め込まれると、圧着ボルト１４の先端が、保持片１１と固定片１２とにより挟持された単管パイプに圧着して単管パイプを強力に固定するものである。
なお、圧着ボルト１４を設ける箇所は、保持片１１に限定されるものではなく、固定片１２に設けても良く、さらに、保持片１１と固定片１２の両方に同時に圧着ボルト１４を設けても良い。
【０００７】
さらに、構成について詳細に説明すれば、羽子板クランプ１０は、保持片１１と固定片１２とが一端でピン１８により枢着され、固定片１２の他端にはピン１６ｃにより連結ボルト１６ａが枢着され、この連結ボルト１６ａに連結ナット１６ｂが螺合している。また固定片１２には、羽子板部１９ａがピン１７で枢着され、羽子板部１９ａには溶接により羽子板ボルト１９ｂが固定されている。
一方、保持片１１の他端には係合部１１ａが形成され、この係合部１１ａに連結ボルト１６ａが嵌合して連結ナット１６ｂが締め込まれると、保持部１３に挟持された単管パイプは保持片１１と固定片１２とに圧着されて、抜け落ち不能に把持される。
【０００８】
以上のような羽子板クランプ１０において、単管パイプを保持部１３に配置して連結ナット１６ｂを締め込んで、保持片１１と固定片１２とで単管パイプを挟持すると、単管パイプは６００ｋｇ程度までの引張力や圧縮力に対して抜け落ち不能に保持される。また圧着ボルト１４を締め込んで、その先端を単管パイプに押し当てると、引張耐力や圧縮耐力は１２００ｋｇ程度まで強化することが可能になる。さらに、圧着ボルト１４を強力に締め込んで、圧着ボルト１４の先端が単管パイプにめり込んで、単管パイプが若干凹んで変形する程度まで押し付けると、引張耐力や圧縮耐力は２０００ｋｇ程度まで強化することが可能になる。
【０００９】
【発明の効果】
本発明の羽子板クランプでは、固定片と保持片の少なくとも一方に設けられた圧着部材が、保持部に配置された単管パイプに圧着して該単管パイプを固定するので、従来品よりも強力な引張耐力や圧縮耐力を得ることが可能になる。また圧着部材をボルトで構成すれば、構造も簡単であるため、製造コストも低廉に抑えることができる。
【図面の簡単な説明】
【図１】本発明の羽子板クランプの斜視図である。
【図２】従来品の斜視図である。
【符号の説明】
１０  羽子板クランプ
１１  保持片
１２  固定片
１３  保持部
１４  圧着ボルト（圧着部材）
１６ａ  連結ボルト
１９ａ  羽子板部
１９ｂ  羽子板ボルト
【図１】
2004339744.tif 000003
【図２】
2004339744.tif 000004